(57)【要約】【課題】汚濁液を紙幣束に向けて勢いよく膜状に噴出させて紙幣束の全体に満遍なく吹き付けることができ、またスリット付きノズル孔加工の簡易化を図れる汚濁液噴出装置を提供する。【解決手段】紙幣束に汚濁液を吹き付ける液噴射ノズル１２を備える。液噴射ノズル１２は、紙幣束の端面の全高に見合う長さのノズル筒体１５の筒壁１６に、その筒軸方向の複数箇所にノズル孔１７を設ける。各ノズル孔１７はノズル筒体１５の内部通路１８に連通状に形成された断面円形孔１９と、この断面円形孔の開口先側に連通状に形成された筒軸方向に長い細幅のスリット２０とからなる。スリット２０は、断面円形孔１９から筒軸方向両側方へ延出し且つ前記壁厚寸法より小さい溝深さに形成されるとともに、溝幅方向に相対向する両側壁２０ａ，２０ｂと、この両側壁の長手方向両端どうしをつなぐ端壁２０ｃ，２０ｄとで囲まれた形に形成される。【選択図】図２
2008007944.tif 000002
【特許請求の範囲】
【請求項１】
紙幣収納部を有する現金収納ケースに設置され、起動信号の入力に伴い前記紙幣収納部に積み重ねて収納された紙幣束に汚濁液を吹き付ける液噴射ノズルを備えた汚濁液噴出装置において、
前記液噴射ノズルが前記紙幣束の端面に対向して配備されていると共に、該液噴射ノズルが、前記紙幣束の端面の全高に見合う長さのノズル筒体の筒壁に、その筒軸方向の複数箇所にノズル孔を設けており、各ノズル孔が前記ノズル筒体の内部通路に連通状に形成された断面円形孔と、この断面円形孔の開口先側に該断面円形孔と連通状に形成された前記筒軸方向に長い細幅のスリットとからなり、前記断面円形孔は前記内部通路の内径より小さい内径で且つ前記筒壁のノズル孔形成部の壁厚寸法より短い長さに形成されており、前記スリットは前記断面円形孔から筒軸方向両側方へ延出し且つ前記壁厚寸法より小さい溝深さに形成されており、前記スリットは、溝幅方向に相対向する両側壁と、この両側壁の長手方向両端どうしをつなぐ端壁とで囲まれた形に形成されていることを特徴とする、汚濁液噴出装置。
【請求項２】
前記断面円形孔の開口先端部の内面が凹曲面に形成されている、請求項１記載の汚濁液噴出装置。
【請求項３】
紙幣収納部を有する現金収納ケースに設置され、起動信号の入力に伴い前記紙幣収納部に積み重ねて収納された紙幣束に汚濁液を吹き付けるようにした汚濁液噴出装置に備えられる汚濁液吹き付け用の液噴射ノズルにおいて、
前記液噴射ノズルが前記紙幣束の端面に対向して配備されていると共に、該液噴射ノズルが、前記紙幣束の端面の全高に見合う長さのノズル筒体の筒壁に、その筒軸方向の複数箇所にノズル孔を設けており、各ノズル孔が前記ノズル筒体の内部通路に連通状に形成された断面円形孔と、この断面円形孔の開口先側に該断面円形孔と連通状に形成された前記筒軸方向に長い細幅のスリットとからなり、前記断面円形孔は前記内部通路の内径より小さい内径で且つ前記筒壁のノズル孔形成部の壁厚寸法より短い長さに形成されており、前記スリットは前記断面円形孔から筒軸方向両側方へ延出し且つ前記壁厚寸法より小さい溝深さに形成されており、前記スリットは、溝幅方向に相対向する両側壁と、この両側壁の長手方向両端どうしをつなぐ端壁とで囲まれた形に形成されていることを特徴とする、汚濁液噴出装置用液噴射ノズル。
【発明の詳細な説明】
【技術分野】
【０００１】
本発明は、紙幣束を収納した現金収納ケースの移送中などにおいて、その現金収納ケースが盗難などの不慮の被害に遭遇した場合に、紙幣束に着色インキ等の汚濁液を液噴射ノズルから吹き付けて紙幣を使用不能に汚損させる汚濁液噴出装置、およびその装置に備えられる液噴射ノズルに関する。
【背景技術】
【０００２】
この種の紙幣汚損用の汚濁液噴射装置には、紙幣束に汚濁液を吹き付けるための液噴射ノズルが組み込まれる。その液噴射ノズル３０としては、たとえば、図６、図７に示すように、紙幣束の全高に見合う長さのノズル筒体３１を有し、そのノズル筒体３１の筒軸方向の複数箇所に、その筒軸方向に長い細幅のスリット３２を有する形のノズル孔３３を形成したものがある（例えば、特許文献１参照。）。
【０００３】
上記ノズル孔３３は、図６中にその一部を拡大して示すように、ノズル筒体３１の内部通路３４に連通する断面円形孔（丸孔）３５と、その断面円形孔３５の長手方向側に延び出て紙幣束の端面に向けて開口されたスリット３２とを有する形に形成している。そして、スリット３２は、ノズル筒体３１の断面円形孔３５の開口された箇所に外嵌状に保持される円筒形又は角筒形の輪状部材３６の割溝３７によって形成される。すなわち、ノズル筒体３１の断面円形孔３５の開口された箇所に輪状部材３６を割溝３７が断面円形孔３５に合致して連通するように外嵌させて保持させ、その輪状部材３６の割溝３７によってスリット３２が形成される。
このような液噴射ノズル３０を用いると、汚濁液が断面円形孔３５を噴出した直後にスリット３２に解放されてその前方に膜状に拡がって噴射されるようになるので、単一の丸孔のみからなるノズル孔に比べて、そのスリット３２から膜状に噴射される汚濁液の噴射範囲が拡大し、汚濁液が紙幣束の端面の全高部分に確実に付着させることができるというものである。
【０００４】
【特許文献１】特開２０００−３２０２４８号公報（図７〜図９）
【発明の開示】
【発明が解決しようとする課題】
【０００５】
しかしながら、ノズル孔３３のスリット３２がノズル筒体３１に外嵌される輪状部材３６の割溝３７によって形成される上記液噴射ノズル３０では、スリット３２の長手方向両端を形成する割溝３７の長手方向両端３７ａ，３７ｂが開放状態にあるため、汚濁液が断面円形孔３５から噴出直後にスリット３２により筒軸方向に拡がりっ放しになり、このため紙幣束に向かって噴出する勢い（強さ）が減衰し、紙幣束への吹き付け力不足が生じがちであった。
また、ノズル筒体３１とは別体の輪状部材３６を必要とするためコストアップとなるばかりか、その輪状部材３６のノズル筒体３１の断面円形孔３５に対する位置合せが厄介で組み付け性においても難があった。
【０００６】
本発明は、このような問題を解決するためになされたものであり、その目的とするところは、上記のような、ノズル筒体の断面円形孔にスリットを連通状に形成するノズル孔を有する汚濁液噴出装置の液噴射ノズルにおいて、該スリットの形成手段に工夫を凝らすことにより汚濁液を紙幣束に向けて勢いよく膜状に噴出させて紙幣束の全体に満遍なく強く吹き付けることができ、またスリット付きノズル孔加工の簡易化を図れる汚濁液噴出装置、および汚濁液噴出装置用液噴射ノズルを提供することにある。
【課題を解決するための手段】
【０００７】
本発明の汚濁液噴出装置は、請求項１に記載のように、紙幣収納部を有する現金収納ケースに設置され、起動信号の入力に伴い前記紙幣収納部に積み重ねて収納された紙幣束に汚濁液を吹き付ける液噴射ノズルを備えた汚濁液噴出装置において、前記液噴射ノズルが前記紙幣束の端面に対向して配備されていると共に、該液噴射ノズルが、前記紙幣束の端面の全高に見合う長さのノズル筒体の筒壁に、その筒軸方向の複数箇所にノズル孔を設けており、各ノズル孔が前記ノズル筒体の内部通路に連通状に形成された断面円形孔と、この断面円形孔の開口先側に該断面円形孔と連通状に形成された前記筒軸方向に長い細幅のスリットとからなり、前記断面円形孔は前記内部通路の内径より小さい内径で且つ前記筒壁のノズル孔形成部の壁厚寸法より短い長さに形成されており、前記スリットは前記断面円形孔から筒軸方向両側方へ延出し且つ前記壁厚寸法より小さい溝深さに形成されており、前記スリットは、溝幅方向に相対向する両側壁と、この両側壁の長手方向両端どうしをつなぐ端壁とで囲まれた形に形成されていることに特徴を有するものである。
かかる構成の液噴射ノズルを備えた汚濁液噴出装置によれば、液噴射ノズルの断面円形孔から噴出する直線流の汚濁液がスリットにより膜状の噴流となって前方へ噴出するが、そのとき汚濁液がスリットの長手方向両端を堰き止める端壁に衝突して筒軸方向への拡がりを規制されて前方向へ指向するため、それだけ前方へ扇形膜状に流れる勢いを増す。そして、隣り合うノズル孔からそのように勢いよく扇形膜状に噴出された汚濁液どうしに重なり部分が生じて紙幣束の全体に満遍なく汚濁液が強く吹き付けられる。
また、ノズル孔のスリットは断面円形孔と共にノズル筒体の筒壁に形成するので、図６、図７に示すごとくノズル筒体３１とは別体の輪状部材３６を用いてスリット３２を形成する従来のスリット付きノズル加工に比べて簡単にかつ低コストで加工することができる。
【０００８】
請求項１記載の汚濁液噴出装置は、請求項２に記載のように、前記断面円形孔の開口先端部の内面を凹曲面に形成することができる。これによれば、汚濁液が断面円形孔から凹曲面に沿ってスリットの方へ抵抗少なくスムーズに流れ、紙幣束に向かって勢いよく吹き付けることができる。
【０００９】
本発明の汚濁液噴出装置用液噴射ノズルは、請求項３に記載のように、紙幣収納部を有する現金収納ケースに設置され、起動信号の入力に伴い前記紙幣収納部に積み重ねて収納された紙幣束に汚濁液を吹き付けるようにした汚濁液噴出装置に備えられる汚濁液吹き付け用の液噴射ノズルにおいて、前記液噴射ノズルが前記紙幣束の端面に対向して配備されていると共に、該液噴射ノズルが、前記紙幣束の端面の全高に見合う長さのノズル筒体の筒壁に、その筒軸方向の複数箇所にノズル孔を設けており、各ノズル孔が前記ノズル筒体の内部通路に連通状に形成された断面円形孔と、この断面円形孔の開口先側に該断面円形孔と連通状に形成された前記筒軸方向に長い細幅のスリットとからなり、前記断面円形孔は前記内部通路の内径より小さい内径で且つ前記筒壁のノズル孔形成部の壁厚寸法より短い長さに形成されており、前記スリットは前記断面円形孔から筒軸方向両側方へ延出し且つ前記壁厚寸法より小さい溝深さに形成されており、前記スリットは、溝幅方向に相対向する両側壁と、この両側壁の長手方向両端どうしをつなぐ端壁とで囲まれた形に形成されていることに特徴を有するものである。
かかる液噴射ノズルによれば、上記請求項１記載の汚濁液噴出装置の作用について述べた場合と同様に、液噴射ノズルの断面円形孔から噴出する直線流の汚濁液がスリットにより膜状の噴流となって前方へ噴出するとき、汚濁液がスリットの長手方向両端を堰き止める端壁に衝突して筒軸方向への拡がりが規制されて前方向へ指向するため、それだけ前方へ扇形膜状に流れる勢いを増す。そして、隣り合うノズル孔からそのように勢いよく扇形膜状に噴出された汚濁液どうしに重なり部分が生じて紙幣束の全体に満遍なく汚濁液が強く吹き付けられる。また、ノズル孔のスリットは断面円形孔と共にノズル筒体の筒壁に形成するので、前述したノズル筒体とは別体の輪状部材を用いてスリットを形成する従来のスリット付きノズル加工に比べて簡単にかつ低コストで加工することができる。
【発明の効果】
【００１０】
本発明の汚濁液噴出装置および汚濁液噴出装置用液噴射ノズルによれば、汚濁液を紙幣束に向けて勢いよく膜状に噴出させて紙幣束の全体に満遍なく強く吹き付けることができ、またスリット付きノズル孔をノズル筒体に容易にかつ安価に加工することができる。
【発明を実施するための最良の形態】
【００１１】
本発明の好適な実施形態を図面に基づき説明する。図１は現金収納ケースに設置された紙幣汚損用の汚濁液噴出装置を示す正面図、図２は汚濁液噴出装置に備えられる液噴射ノズルを一端部を破断して示す正面図、図３は図２におけるＡ−Ａ線拡大断面図、図４は図２におけるＢ−Ｂ線拡大断面図である。
【００１２】
図１において、１は現金収納ケース、２は現金収納ケース１に設置された紙幣汚損用の汚濁液噴出装置である。現金収納ケース１は、金融機関の現金自動払い出し機などに着脱される現金収納カセットとして用いられる。この現金収納ケース１は、前面が開放した箱型のケース本体３内に紙幣架台４を架設し、その紙幣架台４の上側に紙幣収納部５を、紙幣架台４の下側に空間部６をそれぞれ形成している。ケース本体３の前面には扉７が開閉可能に取り付けられており、この扉７を開けて紙幣収納部５に紙幣束を出し入れするようになっている。
【００１３】
汚濁液噴出装置２は、汚濁液を加圧状態で蓄えた汚濁液貯留タンク８と、この汚濁液貯留タンク８の口金部８ａに取り付けられた開閉弁９と、開閉弁９の開動を制御するための弁開機構１０と、開閉弁９の出口ポートに連通された汚濁液分配管１１と、この分配管１１が接続された２本の液噴射ノズル１２と、弁開機構１０を制御するための制御装置１３と、この制御装置１３に弁開機構１０の起動信号を入力するための不正行為検出手段１４などを備えている。そして、汚濁液貯留タンク８が、開閉弁９、弁開機構１０、制御装置１３等と共に上記空間部６に設置されているのに対し、２本の液噴射ノズル１２が上記紙幣収納部５に起立姿勢で設置され、それら液噴射ノズル１２の各下端部に汚濁液分配管１１が接続されている。
【００１４】
不正行為検出手段１４は、盗難や現金収納ケース１の持ち去りといった不正行為が行われたことを検出する為に設けられる。この不正行為検出手段１４としては、たとえば、扉７やケース本体３の外壁の全体を覆うように張り巡らした線状センサ８１のほか、扉７やケース本体３に設けられる不正な解錠を検出するための錠スイッチ、扉７の不正な開動を検出する扉スイッチ、扉７が一定時間以上開放されたまま放置されたことを検出するタイマ回路、扉スイッチやタイマ回路などの信号が入力される論理回路などがある。
【００１５】
図５は不正行為検出手段１４や制御装置１３などを説明的に例示したブロック図である。同図において、８１は上記線状センサ、８２は上記錠スイッチ、８３は上記扉スイッチ、８４はタイマ回路、８５は論理回路である。線状センサ８１は、扉７やケース本体３が不正な手段で破られたり、穿孔されたりしたときなどに断線して不正行為が行われたことを検出する。錠スイッチ８２や扉スイッチ８３は、不正に解錠されたときや扉７が不正に開動されたときにそれらの不正行為が行われたことを検出する。図５ではこれらの錠スイッチ８２や扉スイッチ８３が複数個設けられたものをしめしているが、これらの設置個数は必要に応じて増減することが可能である。タイマ回路８４は、たとえば２つの錠スイッチ８２が設定時間の間に共に開放されないような場合にそのことを検出する。論理回路８５は、扉スイッチ８３から扉７の開動信号が出力されたときで、かつ、錠スイッチ８２から解錠信号が出力されないようなときにそのことを検出する。なお、図５では制御装置１３によってブザー８６が制御されるものを示してある。
【００１６】
図１の汚濁液噴出装置と図５のブロック図を併せてみることによって判るように、紙幣収納部５に紙幣束Ｍを積み上げて収納したケース本体３が扉７で正規に閉じられている状態から不正行為が行われた場合、たとえばケース本体３や扉７を切断したり穿孔したり強打したり、扉７を無理にこじ開けたり、不正に解錠を試みたりした場合は、線状スイッチ８１の断線や、錠スイッチ８２、扉スイッチ８３、タイマ回路８４、論理回路８５などによって不正行為が検出され、その信号が制御装置１３に入力される。そして、制御装置１３が弁開機構１０に起動信号を入力し、その起動信号の入力に伴って弁開機構１０が動作して開閉弁９を開く。こうして開閉弁９が開くと、汚濁液貯留タンク８内で加圧されている汚濁液が開閉弁９や汚濁液分配管１１を経て液噴射ノズル１２に給送され、その液噴射ノズル１２から紙幣束Ｍの端面に汚濁液が吹き付けられる。なお、汚濁液には、一度付着すると脱色しないような着色インキなどが使用される。
【００１７】
次に、液噴射ノズル１２の構造について図１〜図４を参照して説明する。
図１では、２本の液噴射ノズル１２が紙幣収納部５の背部の左右に振り分けて起立姿勢に設置されている形態を例示する。
【００１８】
図１〜図４に示すように、液噴射ノズル１２は紙幣束Ｍの全高に見合う長さを有する樹脂製又は金属製のノズル筒体１５からなり、このノズル筒体１５の筒壁１６に、その筒軸方向の複数箇所にノズル孔１７を等間隔置きに設けている。各ノズル孔１７はノズル筒体１５の内部通路１８に連通状に形成された断面円形孔１９と、この断面円形孔１９の開口先側に連通状に形成された筒軸方向に長い細幅のスリット２０とからなる。
図３に示すように、断面円形孔１９はノズル筒体１５の内部通路１８の内径Ｄより小さい内径ｄで且つ筒壁１６のノズル孔形成部の壁厚Ｔより短い長さＬに形成されている。一方、スリット２０は断面円形孔１９の開口先から筒軸方向両側方へ延出し且つ壁厚Ｔより小さい溝深さＨに形成されている。そのスリット２０は、図２、図３に示すように、溝幅方向に相対向し筒軸方向に長い両側壁２０ａ，２０ｂと、この両側壁２０ａ，２０ｂの長手方向両端どうしをつなぐ端壁２０ｃ，２０ｄとで囲まれた形に形成されている。図４に示すように、断面円形孔１９の開口先端部の内面は凹曲面１９ａに形成している。
【００１９】
このようにノズル孔１７のスリット２０は断面円形孔１９と共にノズル筒体１５の筒壁１６に開口するので、ノズル筒体とは別体の輪状部材を用いてスリットを形成する従来のスリット付きノズル加工に比べて簡単にかつ低コストで加工することができる。
【００２０】
このような液噴射ノズル１２を備えた汚濁液噴出装置２によれば、紙幣束Ｍの端面Ｍ１に対向して配備されている液噴射ノズル１２のノズル筒体１５が紙幣束Ｍの全高に見合う長さを有し、その液噴射ノズル１２は、ノズル筒体１５の筒軸方向の複数箇所にスリット２０を有するノズル孔１７を設けていることにより、各ノズル孔１７から噴出された汚濁液がノズル筒体１５の筒軸方向に扇形膜状に拡がり、隣り合うノズル孔１７，１７から噴出された扇形膜状の汚濁液どうしに重なり部分が生じて紙幣束Ｍの端面Ｍ１の全高部分に満遍なく吹き付けられて付着する。このように付着した汚濁液が紙幣束Ｍを使用不能に汚損することになる。
【００２１】
特に、このノズル孔１７のスリット２０は溝幅方向に相対向する両側壁２０ａ，２０ｂの長手方向両端どうしを端壁２０ｃ，２０ｄで堰き止め状につなぐ形に形成してあるので、断面円形孔部１９から噴出する汚濁液の直線流がスリット２０により扇形膜状に拡がる噴流となって前方へ噴出するとき、汚濁液がスリット２０の長手方向両端の端壁２０ｃ，２０ｄに衝突して筒軸方向への拡がりが規制されて前方向へ指向するため、それだけ紙幣束Ｍの端面Ｍ１に向かって扇形膜状に流れる勢いを増す。そして、隣り合うノズル孔１７，１７からそのように勢いよく扇形膜状に噴出された汚濁液どうしに重なり部分が生じて紙幣束Ｍの端面Ｍ１の全体に満遍なく汚濁液を強く吹き付けることができる。
【００２２】
また、断面円形孔１９の開口先端部の内面を凹曲面１９ａに形成することにより、汚濁液が断面円形孔１９から凹曲面１９ａに沿ってスリット２０の方へ抵抗少なくスムーズに流れ、紙幣束Ｍの端面Ｍ１に向かって勢いよく飛ばされ、紙幣束Ｍの端面Ｍ１に強く吹き付けることができる。
【図面の簡単な説明】
【００２３】
【図１】本発明の一実施例の現金収納ケースに設置された紙幣汚損用の汚濁液噴出装置を示す正面図である。
【図２】汚濁液噴出装置に備えられる液噴射ノズルを一端部を破断して示す正面図である。
【図３】図２におけるＡ−Ａ線拡大断面図である。
【図４】図２におけるＢ−Ｂ線拡大断面図である。
【図５】不正行為手段や制御装置などを説明的に例示したブロック図である。
【図６】従来例の液噴射ノズルの正面図である。
【図７】図６におけるＣ−Ｃ線拡大断面図である。
【符号の説明】
【００２４】
１  現金収納ケース
２  汚濁液噴出装置
５  紙幣収納部
１２  液噴射ノズル
１５  ノズル筒体
１６  筒壁
１７  ノズル孔
１８  内部通路
１９  断面円形孔
２０  スリット
２０ａ，２０ｂ  両側壁
２０ｃ，２０ｄ  端壁
Ｍ  紙幣束
【図１】
2008007944.tif 000003
【図２】
2008007944.tif 000004
【図３】
2008007944.tif 000005
【図４】
2008007944.tif 000006
【図５】
2008007944.tif 000007
【図６】
2008007944.tif 000008
【図７】
2008007944.tif 000009